(57)【要約】      （修正有）【課題】スクリーンに素早く着脱することができかつ密着することができる磁気吸引式覗き見防止フィルムを提供する。【解決手段】モバイルデバイスのスクリーンを保護するとともに、覗き見防止効果も備える磁気吸引式覗き見防止フィルム１０に係わる。磁気吸引式覗き見防止フィルム１０は、主に覗き見防止フィルム１０１と、複数の磁気吸引素子１０２とからなり、磁気吸引素子１０２が覗き見防止フィルム１０１に埋め込まれる。オペレータは使用ニーズに応じて、磁気吸引原理を利用して、磁気吸引式覗き見防止フィルム１０をモバイルデバイスのスクリーンに吸着する。【選択図】図１
0003200365.tif 000002
【実用新案登録請求の範囲】
【請求項１】
複数の磁気素子を内蔵してあるモバイルデバイスのスクリーンに吸着され、複数の位置決め挿入溝を有する覗き見防止フィルムと、
それぞれの前記複数の位置決め挿入溝に埋め込まれてある複数の磁気吸引素子と、を具備してあることを特徴とする磁気吸引式覗き見防止フィルム。
【請求項２】
前記磁気吸引素子を前記位置決め挿入溝に埋め込んでから、前記磁気吸引素子を前記覗き見防止フィルムの表面より低くなるようにするか、または前記覗き見防止フィルムと同一平面であるようにトリミングすることを特徴とする請求項１に記載の磁気吸引式覗き見防止フィルム。
【請求項３】
前記位置決め挿入溝の位置は、前記磁気素子の位置と対向して成形されることを特徴とする請求項１または２に記載の磁気吸引式覗き見防止フィルム。
【請求項４】
前記位置決め挿入溝のそれぞれは、前記覗き見防止フィルムの同じ側に配置されることを特徴とする請求項１ないし３のいずれかに記載の磁気吸引式覗き見防止フィルム。
【請求項５】
前記覗き見防止フィルムは、樹脂層と、接着剤層と、格子層と、接着剤層と、及びその他の樹脂層とがこの順で積層されるように構成されていることを特徴とする請求項１ないし４のいずれかに記載の磁気吸引式覗き見防止フィルム。
【請求項６】
前記格子層は、特定の角度に対して、所定の可視域を提供することを特徴とする請求項５に記載の磁気吸引式覗き見防止フィルム。
【請求項７】
前記磁気吸引式覗き見防止フィルムは、少なくとも一つの保護層を設けてあり、当該保護層は同時に前記覗き見防止フィルムの最上層と最下層に設けられることにより、前記磁気吸引素子をカーバして保護することを特徴とする請求項５または６に記載の磁気吸引式覗き見防止フィルム。
【請求項８】
前記覗き見防止フィルムの表面に枠部を設けてあることを特徴とする請求項１ないし７のいずれかに記載の磁気吸引式覗き見防止フィルム。
【請求項９】
前記覗き見防止フィルムに剥離部が設けられてあることを特徴とする請求項１ないし７のいずれかに記載の磁気吸引式覗き見防止フィルム。
【請求項１０】
前記枠部は、操作穴を予めに成形してあることを特徴とする請求項８に記載の磁気吸引式覗き見防止フィルム。
【請求項１１】
前記磁気素子は、長尺帯の様態に成形されることを特徴とする請求項１ないし１０のいずれかに記載の磁気吸引式覗き見防止フィルム。
【考案の詳細な説明】
【技術分野】
【０００１】
本考案は磁気吸引式覗き見防止フィルムに係わり、特に磁気部材の磁気吸引原理を利用して、オペレータの使用のニーズに応じて、直ちにモバイルデバイスに吸着するまたはモバイルデバイスから除去する磁気吸引式覗き見防止フィルムに関する。
【背景技術】
【０００２】
近年、モバイルインターネットの利便性の拡大に伴って、モバイルデバイスは徐々に現代人の必需品となりつつある。また、モバイルデバイスを所有するオペレータは、公共の場所でモバイルデバイスを使用する頻度が一番高い。しかし、公共の場所でモバイルデバイスを使用した場合に、オペレータのプライバシーを保護するには容易ではない。従って、市場では既に業者から覗き見防止フィルム（または覗き見防止膜）が開発されており、オペレータがこの覗き見防止膜をモバイルデバイスのスクリーンに粘着することで、または外枠付の方式でモバイルデバイスのスクリーンに固定する。
【０００３】
しかし、前記多くの先行技術から分かるように、従来の覗き見を防止するやり方として、直接モバイルデバイスのスクリーンに覗き見防止フィルムを接着するか、または保護ケースに覗き見防止フィルムを搭載することがある。しかし、接着で固定した場合、覗き見防止フィルムを剥がす時には、簡単に接着剤残留物が残ることにより、オペレータが場合によって覗き見防止機能を使用する必要性を決定することができないという制限がある。更に、覗き見防止フィルムは、画面の明るさが暗くなる及びシャープネスを低減することで、長期間で使用していけば、人間の目の視力を損傷することが容易である。
【０００４】
また、覗き見防止フィルムを搭載する保護ケースを使用した場合に、覗き見防止フィルムは可動であるから、使用のために操作する時に、多くの場合には、覗き見防止フィルムがモバイルデバイスのスクリーンに密着することができないし、さらにスクリーン画面の鮮明度及びタッチ制御の精度にも影響を与える。故に、改善の必要がある。
【考案の概要】
【考案が解決しようとする課題】
【０００５】
そこで、本考案は上記の課題とニーズを考慮し、主な目的はスクリーンに迅速に着脱可能でかつ密着することができる磁気吸引式覗き見防止フィルムを提供することにある。
【課題を解決するための手段】
【０００６】
上記の目的を実現するために、本考案の磁気吸引式覗き見防止フィルムは、主に覗き見防止フィルムに、複数の位置決め溝が設けられ、また複数の磁気吸引素子がそれぞれの位置決め挿入溝に埋め込まれている。この埋め込みが済んだら、磁気吸引素子は、覗き見防止フィルムの表面より低くなるようにする、または覗き見防止フィルムと同一平面であるようにトリミングされる。また、上記の位置決め挿入溝とは、モバイルデバイスが既に有しかつスクリーンの周辺に隠れてある磁気素子の位置に対向して成形されるものである。オペレータの使用ニーズにより、磁気原理を利用して、ポイントツーポイント方式で、覗き見防止フィルムの磁気吸引素子とモバイルデバイスの磁気素子がお互いに吸引される。これにより、本考案の磁気吸引式覗き見防止フィルムは、モバイルデバイスのスクリーンに導かれて吸着する。このように、磁気吸引式覗き見防止フィルムをモバイルデバイスのスクリーンに迅速に着脱可能かつ密着することができる。
【考案の効果】
【０００７】
本考案の磁気吸引式覗き見防止フィルムによれば、オペレータの使用ニーズに応じて、磁気吸引原理を利用して、本考案の磁気吸引式覗き見防止フィルムをモバイルデバイスのスクリーンに迅速に着脱可能かつ密着することができる。
【図面の簡単な説明】
【０００８】
本考案の目的、技術特徴、及び実施後の効果を一層理解するために、以下の図面を参照してより詳しく説明する。
【図１】図１は、本考案の磁気吸引式覗き見防止フィルムの斜視外観図である。
【図２】図２は、本考案の磁気吸引式覗き見防止フィルムの詳細構造概略図である。
【図３】図３は、本考案の磁気吸引式覗き見防止フィルムの実施の概略図である。
【図４】図４は、本考案の磁気吸引式覗き見防止フィルムの別の詳細構造概略図である。
【図５】図５は、本考案の磁気吸引式覗き見防止フィルムの別の実施の概略図（一）である。
【図６】図６は、本考案の磁気吸引式覗き見防止フィルムの別の実施の概略図（二）である。
【図７】図７は、本考案の磁気吸引式覗き見防止フィルムの別の実施の概略図（三）である。
【考案を実施するための形態】
【０００９】
以下、図面を用いて本考案の磁気吸引式覗き見防止フィルムをより詳しく説明する。図１は本考案の磁気吸引式覗き見防止フィルムの斜視外観図である；図２は、本考案の磁気吸引式覗き見防止フィルムの詳細構造概略図である；図３は、本考案の磁気吸引式覗き見防止フィルムの実施の概略図である；図４は、本考案の磁気吸引式覗き見防止フィルムの別の詳細構造概略図である；図５は、本考案の磁気吸引式覗き見防止フィルムの別の実施の概略図（一）である；図６は、本考案の磁気吸引式覗き見防止フィルムの別の実施の概略図（二）である。
【００１０】
図１に示すように、本考案の磁気吸引式覗き見防止フィルム１０は、覗き見防止フィルム１０１と、複数の磁気吸引素子１０２とからなる。覗き見防止フィルム１０１は位置決め挿入溝１０１１が成形されてあり、かつ位置決め挿入溝１０１１がその表面の同じ側に配置されている。また、各磁気吸引素子１０２は、それぞれの位置決め挿入溝１０１１に埋め込まれる。
【００１１】
磁気吸引素子１０２は位置決め挿入溝１０１１への埋め込みが済んだら、磁気吸引素子１０２が覗き見防止フィルム１０１の表面より低くなるようにする、または覗き見防止フィルム１０１と同一平面であるようにトリミングされる。言い換えれば、磁気吸引素子１０２は位置決め挿入溝１０１１への埋め込みが済んだら、磁気吸引式覗き見防止フィルム１０の表面に凸面がない。
【００１２】
このように、本考案の磁気吸引式覗き見防止フィルム１０は、磁気吸引原理を利用して、磁気素子を内蔵してあるモバイルデバイスに吸着されることにより、緊密に貼付け効果を得ることができる。これにより、先行技術のような覗き見防止フィルムが可動式のため、モバイルデバイスのスクリーンに密着されないことを改善することができる。また、磁気吸引素子１０２は、フェライト、Fe、Ni、Coの合金、または希土類磁石からなることができるが、これらに限定されない。
【００１３】
図２に示すように、覗き見防止フィルム１０１の構造は、図２の上から下に至る順に、樹脂層１０１２、接着剤層１０１３、格子層１０１４、接着剤層１０１３、及びその他の樹脂層１０１２で構成される。ここで、樹脂層１０１２とは、例えばポリカーボネートまたはポリエチレンテレフタレートなどのような高透明性材料であるが、これらに限れない。また、接着剤層１０１３とは、接着剤であり、上下の樹脂層１０１２のそれぞれを格子層１０１４との緊密接着に使用される。また、格子層１０１４は、超微細日除けブラインド原理に基づき、複数の不透明な格子薄板１０１５からなる。
【００１４】
従って、それぞれの格子薄板１０１５をお互いに平行にさせて且つ等距離で設ける（即ち、垂直ブラインド構造）ことにより、光線を所定の角度αの範囲内に限定させる。従って、特定の角度αに対して、ある程度の可視域しか提供しない。例えば、視野角L1は正面の視野角（即ち、角度はゼロ）で、光線が遮断されないので、可視度は影響を全く受けない。角度αは大きくなるほど、明るさがより低くなるので、充分に覗き見防止及び情報プライバシー保護の効果を実現することができる。
【００１５】
図１及び図３を参照すると、磁気吸引覗き見防止フィルム１０は、覗き見防止フィルム１０１と、複数の磁気吸引素子１０２とを含む。覗き見防止フィルム１０１には複数の位置決め挿入溝１０１１が成形されてあり、各磁気吸引素子１０２はそれぞれの位置決め挿入溝１０１１に埋め込まれる。また、複数の磁気素子２０１は、予めモバイルデバイス２０の周辺内部に沿って内蔵してある。オペレータは磁気吸引原理を利用するだけで、使用環境のニーズにより、磁気吸引式覗き見防止フィルム１０を瞬時に磁気素子２０１を内蔵してあるモバイルデバイス２０のスクリーンに吸着させることができる。これにより、従来技術のように、接着でオペレータが場合によって覗き見防止機能を使用する必要性を決定することができないという制限をもたらしたことを改善することができる。
【００１６】
好ましい実施例は、前記の位置決め挿入溝１０１１を、モバイルデバイス２０が既に有しかつスクリーンの周辺に隠れた磁気素子２０１の位置に対向する磁気吸引覗き見防止フィルム１０の位置に成形するものである。このように、ポイントツーポイント方式で、磁気吸引素子１０２を磁気素子２０１に吸着するにより、迅速な位置決め効果が実現することができる。
【００１７】
図４に示すように、磁気吸引覗き見防止フィルム１０は、少なくとも一つの保護層１０１６を設けてもよい。この保護層１０１６は、同時に覗き見防止フィルム１０１の最上層と最下層に設けられることにより、磁気吸引素子１０２をカーバして保護する。この保護層１０１６は、フッ素化合物で処理した透明なプラスチック材質であり、防汚、湿潤防止及び耐摩耗効果が具備されてある。また、この透明なプラスチック材質は、ポリカーボネート、ポリメチルアクリレート、ポリエチレン、ポリ塩化ビニル、及びポリエチレンテレフタレートの其の一つまたは組合せであるが、これらに限定されない。
【００１８】
次に図５及び図１に示すように、磁気吸引素子１０２を覗き見防止フィルム１０１の位置決め挿入溝１０１１に埋め込んで、かつ覗き見防止フィルム１０１と同一平面であるようにトリミングされてから、枠部１０３を覗き見防止フィルム１０１の表面に装着する。枠部１０３は操作穴１０３１を設けてあり、この操作穴１０３１はモバイルデバイス２０の操作キー２０２に対応して配置することにより、覗き見防止フィルム１０１がモバイルデバイス２０のスクリーンに吸着した時に、操作キー２０２はまた操作に使用可能である。また、枠部１０３は磁気吸引素子１０２を位置決め挿入溝１０１１にしっかり固定するように設けるものであり、枠部１０３は皮革またはプラスチックなどから作成してもよいが、これらに限定されない。
【００１９】
図６をご参照するように、覗き見防止フィルム１０１は、剥離部１０１７を成形してある。このため、オペレータが覗き見防止機能を必要ないと感じるなら、単にこの剥離部１０１７を把持して剥がすと、もとのモバイルデバイス２０に吸着してある磁気吸引式覗き見防止フィルム１０を簡単に取り除くことができる。これにより、迅速に着脱が可能な特性を実現することができるので、従来技術のような静電気またはフィルム枠付き方式で取り除き困難という問題を改善することができる。
【００２０】
図７を参照して、複数の磁気素子２０１は、予めモバイルデバイス２０のスクリーン周辺の内部に設けてある。また、磁気吸引素子１０２（磁気素子２０１）は、長尺帯の様態、例えば磁石片のように成形することができるが、これに限定されない。このように、磁気吸引式覗き見防止フィルム１０は、異なる位置に内蔵する磁気素子２０１を有する様々なバイルデバイス２０に対して、面と点の接触方式で、直接にモバイルデバイス２０に吸着させる。よって、安定かつ迅速な位置決め効果が実現されることができる。
【００２１】
前述から分かるように、本考案の磁気吸引式覗き見防止フィルムは、主に磁気吸引素子を位置決め挿入溝を有する覗き見防止フィルムに埋め込み、この埋め込みが済んだら、覗き見防止フィルムの表面に凸面がない。また、超微細日除けブラインド原理に基づき、特定の角度の可視域しか提供しないので、覗き見防止効果が実現されることができる。このように、オペレータは覗き見防止機能を必要とした場合、磁気吸引の原理を利用して、磁気吸引式覗き見防止フィルムを複数の磁気素子を内蔵してあるモバイルデバイスに吸着する。
【００２２】
逆に、オペレータは覗き見防止機能を必要としない場合、すぐに除去することができる。よって、本考案は先立つことに基づいて実施することにより、モバイルデバイスのスクリーンに迅速な位置決めかつ密着という効果の実現が可能な磁気吸引式覗き見防止フィルムの提供を確実に実現することができる。
【００２３】
但し、前記の内容は本考案の好ましい実施態様であり、本考案の実施範囲を制限するものではない。当考案の主旨と範囲を逸脱しないで、この技術分野に精通する者によって行われた変更及び修正は全て当考案の特許範囲内に覆うべきである。
【産業上の利用可能性】
【００２４】
本考案によれば、磁気吸引式覗き見防止フィルムは、モバイルデバイスのスクリーンに迅速な位置決めかつ密着という効果を実現することができる。また、覗き見防止フィルムの超微細日除けブラインド原理の特性に基づき、特定の角度に対して、ある程度の可視域を提供することができるので、覗き見防止効果が実現されることができる。
【符号の説明】
【００２５】
１０          磁気吸引式覗き見防止フィルム
１０１        覗き見防止フィルム
１０１１      位置決め挿入溝
１０１２      樹脂層
１０１３      接着剤層
１０１４      格子層
１０１５      格子薄板
１０１６      保護層
１０１７      剥離部
１０２        磁気吸引素子
１０３        枠部
１０３１      操作穴
２０          モバイルデバイス
２０１        磁気素子
２０２        操作キー
α            角度
L1            視野角
【図１】
0003200365.tif 000003
【図２】
0003200365.tif 000004
【図３】
0003200365.tif 000005
【図４】
0003200365.tif 000006
【図５】
0003200365.tif 000007
【図６】
0003200365.tif 000008
【図７】
0003200365.tif 000009